(57)【特許請求の範囲】
【請求項１】
プライマリ局と少なくとも１つのセカンダリ局との間で通信するための方法であって、
第１構造を持つ複数のサーチ空間の少なくとも１つをサーチするための第１状態にセカンダリ局を設定し、
前記第１構造は第１サイズを持つ少なくとも第１の数のリソース・セットからなり、少なくとも１つのリソース・セットは前記セカンダリ局にメッセージを送信するために用いられることができ、
前記セカンダリ局が第２状態に入るときに、サーチ空間構造を前記第１構造とは異なる第２構造に変更し、前記セカンダリ局がメッセージを受信してから経過した時間が、予め決められた時間閾値を超える場合に、前記第１状態に入る、方法。
【請求項２】
プライマリ局と少なくとも１つのセカンダリ局との間で通信するための方法であって、
第１構造を持つ複数のサーチ空間の少なくとも１つをサーチするための第１状態にセカンダリ局を設定し、
前記第１構造は第１サイズを持つ少なくとも第１の数のリソース・セットからなり、少なくとも１つのリソース・セットは前記セカンダリ局にメッセージを送信するために用いられることができ、
前記セカンダリ局が第２状態に入るときに、サーチ空間構造を前記第１構造とは異なる第２構造に変更し、前記セカンダリ局がメッセージを受信してから経過した時間が、予め決められた時間閾値未満である場合に、前記第２状態に入る、方法。
【請求項３】
前記セカンダリ局がメッセージを受信してから経過した時間が、予め決められた時間閾値未満である場合に、前記第２状態に入る、請求項１に記載の方法。
【請求項４】
前記メッセージは、前記プライマリ局からのシグナリング・メッセージである、請求項１に記載の方法。
【請求項５】
前記第１構造及び前記第２構造のうちの少なくとも一方は、前記セカンダリ局の能力に依存して選択される、請求項１から請求項４のいずれか一項に記載の方法。
【請求項６】
前記セカンダリ局の能力のうちの１つは、前記第１構造に対応するリソース・セットを受信するために必要とされるパワーに対する前記第２構造に対応するリソース・セットを受信するために必要とされるパワーの比によって特徴付けられる、請求項５に記載の方法。
【請求項７】
前記第１構造が第１サイズを持つ少なくとも第１の数のリソース・セットからなり、前記第２構造が第１サイズを持つ少なくとも第２の数のリソース・セットからなり、前記第２の数は前記第１の数と異なる、請求項１から請求項６のいずれか一項に記載の方法。
【請求項８】
それぞれのリソース・セットが異なるコンポーネント・キャリア上にある、請求項７に記載の方法。
【請求項９】
前記セカンダリ局は、予め決められた継続時間の間、前記第１状態に入る、請求項１に記載の方法。
【請求項１０】
前記セカンダリ局は、前記第２構造ではなく前記第１構造をサーチすることによってパワーを節約することができる場合に、前記第１状態に入る、請求項１から請求項９のいずれか一項に記載の方法。
【請求項１１】
前記第１構造は、前記第２構造よりも限られた数のキャリア上にある、請求項１０に記載の方法。
【請求項１２】
前記第２構造が、前記プライマリ局によって通知される、請求項１から請求項１１のいずれか一項に記載の方法。
【請求項１３】
プライマリ局と少なくとも１つのセカンダリ局との間で通信するための方法であって、
それぞれのコンポーネント・キャリア上の少なくとも１つのリソース・セットに各々が対応する複数のサーチ空間をサーチするようにセカンダリ局を設定し、少なくとも１つのリソース・セットが、前記セカンダリ局にメッセージを送信するために用いられることができ、コンポーネント・キャリア上の選択されるサーチ空間が、コンポーネント・キャリア識別子によって決まる、方法。
【請求項１４】
プライマリ局と通信するための手段を有するセカンダリ局であって、当該セカンダリ局は、それぞれのコンポーネント・キャリア上の少なくとも１つのリソース・セットに各々が対応する複数のサーチ空間をサーチすることを活性化するための制御手段をさらに有し、少なくとも１つのリソース・セットが、前記セカンダリ局にメッセージを送信するために用いられることができ、コンポーネント・キャリア上の選択されるサーチ空間が、コンポーネント・キャリア識別子によって決まる、セカンダリ局。
【請求項１５】
少なくとも１つのセカンダリ局と通信するための手段を有するプライマリ局であって、当該プライマリ局は、それぞれのコンポーネント・キャリア上の少なくとも１つのリソース・セットに各々が対応する複数のサーチ空間をサーチするように前記セカンダリ局を設定するための設定手段をさらに有し、少なくとも１つのリソース・セットが、前記セカンダリ局にメッセージを送信するために用いられることができ、コンポーネント・キャリア上の選択されるサーチ空間が、コンポーネント・キャリア識別子によって決まる、プライマリ局。
【発明の詳細な説明】
【技術分野】
【０００１】
本発明は、ネットワークにおいて通信するための方法に関する。より具体的には、本発明は、セルラ通信ネットワーク（例えばUMTS, GSM）のような通信ネットワークにおけるプライマリ局とセカンダリ局との間の通信に関する。
【背景技術】
【０００２】
UMTS LTEにおいて、ダウンリンク制御チャネルPDCCH（Physical Downlink Control Channel）は、アップリンク又はダウンリンク送信のためのリソース割り当てのような情報を伝達する。PDCCHメッセージは、1, 2, 4又は8つのチャネル制御要素（CCE又はリソース要素）を用いることができ、CCE集合レベル（aggregation level）1, 2, 4又は8と呼ばれる。PDCCHメッセージは、１セットの利用可能なメッセージ・フォーマットのうちの１つを用いて（例えば情報ビットの数及びチャネル符号化レートのような異なる信号特性によって）送信されることができる。それぞれのフォーマットは、LTE仕様書において「DCIフォーマット」と呼ばれる。更に、PDCCHメッセージの異なる宛先又は目的は、メッセージCRCに適用される異なるスクランブリング・シーケンスによって示されることができる（LTE仕様書において、異なるスクランブリング・シーケンスは、RNTIと呼ばれる異なる識別子に対応する）。それぞれのRNTIは、特定のUEを対象としたUE固有のPDCCHメッセージを、複数のUEによる受信を対象としたCommon PDCCHメッセージから区別するために用いられる。複数のUEによる受信を対象としたPDCCHメッセージの場合、これは、UEの定められたグループ又は任意のUEを対象とする場合がある。
【０００３】
LTEにおけるUEのようなモバイル局は、それを対象とするメッセージのCCE空間における位置を前もって知らない。原理上は、モバイル局は、CCE空間中のそれぞれの初期位置によって全ての考えられるPDCCHを盲目的に復号することを試みることができ、そして、そのモバイル局を対象とした任意のメッセージを受信することができる。しかしながら、CCE空間が大きい場合には、処理の複雑度が極端に高い。したがって、複数のサーチ空間から成るより限られたサーチが構成される。UEは、所与のサーチ空間で多くのDCIフォーマットのうちの１つを有するメッセージをサーチすることができる。説明の簡潔さのために、UE固有のサーチ空間における１つのDCIフォーマット及び１つのRNTIのみを考慮する場合があるが、同じ議論は、複数のDCIフォーマット、複数のRNTI、並びに、UE固有の及び共通のサーチ空間に適用可能である。
【０００４】
サーチ空間は、（特定の集合レベルによる）１セットの集合CCEであり、その中で、モバイル局（すなわちユーザ機器（UE）又はセカンダリ局）は、その集合レベルに対して送信される可能性があると想定される全てのPDCCHペイロード（DCIフォーマット及びRNTI）のブラインド復号を実行する。送信される可能性があるとUEが想定するPDCCHペイロードのセットは、LTE仕様書によって定義される全ての考えられるPDCCHペイロードのサブセットであることができる。サーチ空間は、集合レベルごとに定められる。そして、セカンダリ局は、最高４つのサーチ空間を持つことができる。例えば、（1-CCEと呼ばれる）集合レベル１に対するUEのサーチ空間は、3,4,5,6,7,8によってインデックスを付けられるCCEから成ることができ、一方、集合レベル８に対するそのサーチ空間は、それぞれ、1,2,..,8及び9,10, ...,16によってインデックスを付けられるCCEから成る集合CCEの２つのリソース・セットから成ることができる。そして、この例において、UEは、1-CCEのために6つのブラインド復号及び8-CCEのために2つのブラインド復号を実行する。
【０００５】
LTE仕様書は、現在、１つのキャリア上のUE固有PDCCHメッセージのために設計されるサーチ空間においてUEが以下を実行することを要求する。
・1-CCE集合の6つの復号試行
・2-CCE集合の6つの復号試行
・4-CCE集合の2つの復号試行
・8-CCE集合の2つの復号試行
更に、UEは、１つのキャリア上のCommon PDCCHメッセージのために設計されるサーチ空間において以下を実行することを要求される。
・4-CCE集合の4つの復号試行
・8-CCE集合の2つの復号試行
一般に、UEは、１つ以上のサーチ空間構造を形成するために共にグループ化されるとみなされることができるサーチ空間の１つ以上のセットをサーチすることを要求される場合がある。
【発明の概要】
【発明が解決しようとする課題】
【０００６】
大きなメッセージのために、及び/又は、例えば悪いチャネル状態の下でより低い符号化レートが必要とされる場合の小さいメッセージのために、より大きい集合が用いられることが意図される。しかしながら、処理複雑度を低減するためにサーチ空間を制限することは、無線チャネル条件が変化するときに、異なる無線チャネル条件のための適切な集合の利用可能性を制限する。
【０００７】
システムが同時に複数の搬送周波数の使用をサポートする場合、上記したシステムを動作させる１つの考えられる方法は、データ送信のために使われるべき各々のキャリア上でPDCCHを送信することである。このシナリオにおいて、考えられるPDCCHをサーチするために必要とされる処理パワーを制限することが望ましい。
【課題を解決するための手段】
【０００８】
上述の問題を軽減する通信方法を提案することが本発明の目的である。
【０００９】
更なる信号又はオーバーヘッドを引き起こすことなく、サーチ空間が状況に適応されることを可能にする方法を提供することが本発明の他の目的である。
【００１０】
この目的のために、本発明によれば、プライマリ局と少なくとも１つのセカンダリ局との間で通信するための方法が提案され、当該方法は、
（ａ）第１構造を持つ複数のサーチ空間のうちの少なくとも１つをサーチするための第１状態にセカンダリ局を設定し、前記第１構造は、第１サイズを持つ少なくとも第１の数のリソース・セットからなり、
（ｂ）前記セカンダリ局が第２状態に入ると、前記第１構造とは異なる第２構造に前記サーチ空間構造を変更する。
【００１１】
その結果として、サーチ空間の構造は、特定の状況に従って変更されることができる。第２構造が、例えばそれが更なるリソースを含むので、それを受信するためにセカンダリ局によって消費される更なるパワーを必要とする場合、セカンダリ局との通信が低いデータ速度であるときに、第１構造を使用し、データ速度が大きいときに第２構造に切り替えることが、セカンダリ局の消費電力にとって有利である。更なる実施例として、チャネル条件のような送信特性における変化の場合に、サーチ空間を変更することが可能である。チャネル条件は、新たな干渉源のため又はセル境界に近づくセカンダリ局の移動度のために、変化する場合がある。
【００１２】
本発明は、少なくとも１つのセカンダリ局と通信するための手段を有するプライマリ局にも関連し、当該プライマリ局は、第１構造を持つ複数のサーチ空間のうちの少なくとも１つをサーチするための第１状態にセカンダリ局を設定するための設定手段を有し、前記第１構造は、第１サイズを持つ少なくとも第１の数のリソース・セットから成り、少なくとも１つのリソース・セットは、考慮されるセカンダリ局にメッセージを送信するために使用され、設定手段は、セカンダリ局が第２状態に入ると、第１構造と異なる第２構造にサーチ空間構造を変更するように配置される。
【００１３】
本発明の更に別の態様によれば、セカンダリ局が提案され、前記セカンダリ局は、プライマリ局と通信するための手段を有し、前記セカンダリ局は、セカンダリ局が第１状態にあるときに、第１構造を持つ複数のサーチ空間のうちの少なくとも１つをサーチすることを活性化するための制御手段を有し、前記第１構造は、第１サイズを持つ少なくとも第１の数のリソース・セットから成り、少なくとも１つのリソース・セットは、考慮されるセカンダリ局にメッセージを送信するために使用され、制御手段は、セカンダリ局が第２状態に入ると、サーチ空間構造における変更のプライマリ局からの指示に応答して、第１構造と異なる第２構造にサーチ空間構造を変更するように配置される。
【００１４】
本発明のこれらの及び他の態様は、以下に説明される実施の形態から明らかであり、それらを参照して説明される。
【００１５】
本発明は、添付の図面を参照してさらに詳細に一例として説明される。
【図面の簡単な説明】
【００１６】
【図１】プライマリ局及び少なくともセカンダリ局を有する本発明によるシステムのブロック図。
【図２】本発明の第１の実施の形態によるシステムのサーチ空間のタイム・チャート。
【図３】本発明の第１の実施の形態によるシステムのサーチ空間のタイム・チャート。
【発明を実施するための形態】
【００１７】
本発明は、セルラネットワークのようなネットワークにおいて通信するための方法に関する。例えば、ネットワークは、図1に表されるようなUMTS LTEネットワークであることができる。
【００１８】
図1を参照して、本発明による無線通信システムは、プライマリ局（BS又はeNodeB）100及び複数のセカンダリ局（MS又はUE）110を有する。プライマリ局100は、マイクロコントローラ(μC)102、アンテナ手段106に接続されるトランシーバ手段（Tx/Rx）104、送信されるパワーレベルを変更するためのパワー制御手段（PC）107及びPSTN又は他の適切なネットワークに対する接続のための接続手段108を有する。各々のUE110は、マイクロコントローラ（μC）112、アンテナ手段116に接続されるトランシーバ手段（Tx/Rx）114及び送信されるパワーレベルを変更するためのパワー制御手段（PC）118を有する。プライマリ局100からモバイル局110への通信はダウンリンク・チャネル上で行われ、一方、セカンダリ局110からプライマリ局100への通信は、アップリンク・チャネル上で行われる。この例において、ダウンリンク・チャネルは、PDCCHのような制御チャネルを有する。そのような制御チャネルは、複数のキャリアを通じて送信される場合がある。これらのキャリアは、キャリアの周波数によって、又は、本発明の変形例においては、符号化スキーム若しくは変調によって、定義されることができる。
【００１９】
本発明の第１の実施の形態は、制御チャネルが通信システム（例えばLTE又はLTE Advanced）のための複数のキャリア上で送信されることができるサーチ空間（又はサーチ空間のセット）を知らせるための高速かつ効率的な手段を提供する。
【００２０】
例えばLTE仕様書の第１リリース（Rel-8）に準拠する、UEとの通信のために１つのキャリアを用いるそのようなモバイル・ネットワークにおいて、最高20MHzの１つのキャリアが使用される。物理ダウンリンク制御チャネル（PDCCH）上の制御通知メッセージは、送信リソースの割り当てを通知する。全てのサブフレーム中の考えられる全ての場所を復号しなければならないこと（これは、非常に大きいブラインド復号オーバーヘッドをもたらす）を回避するために、各々のUEは、そのような通知メッセージをサーチするための少なくとも１つのサーチ空間によって設定される。しかしながら、LTEの開発において、シングル・キャリア動作は、（"コンポーネント・キャリア"として説明される）複数キャリアに拡張され、コンポーネント・キャリア（CC）の各々についてのリソース割り当てを示すために通知が必要とされる。複数のCC上の通知を検出するために必要とされるブラインド復号の数の重大な増加を回避することが望ましい。
【００２１】
複数のCC上のリソース割り当てを通知するためにPDCCHを使用するための3GPPにおいて考慮される現在の主要なオプションは、以下の通りである。
１．各々のコンポーネント・キャリア（CC）のための別々のPDCCHを持つ。ここで、
・１つのPDCCHは同じCC上の割り当てを示すか、
又は、
・１つのPDCCHは同じか若しくは異なるCC上の割り当てを示す。
あるいは、
２．１つのUEに割り当てられるコンポーネント・キャリアのための情報が一緒に符号化される１つのcommon PDCCH。ここで、
・DCIフォーマット・サイズは、割り当てられたCCの数に従って動的に変更されるか、
又は、
・DCIフォーマット・サイズは、UEがモニタリングしているCCの数に従って半静的に一定である。
【００２２】
したがって、いずれにしても、各々のキャリア上にPDCCHメッセージのためのサーチ空間（すなわち、PDCCHのために使用可能な１セットの場所であり、それらの場所の各々において、UEは、少なくとも１つのPDCCHペイロードを復号すること（すなわちブラインド復号）を試みる）が存在することが有利である。我々は、一例として、１つのDCIフォーマット及びRNTIを参照するが、他の数のDCIフォーマット及びRNTIが使用されることができることに留意する必要がある。一般に、CCのいずれかのPDCCH（場合により同時に複数のPDCCH）をUEが受信することが可能であることが望ましい。
【００２３】
ブラインド復号の総数に起因する信号処理のあまりに重大な増加を回避するために、各々のコンポーネント・キャリア上のサーチ空間は可能な限り小さく維持されるべきである。しかしながら、小さいサーチ空間は、スケジューリング制約を課す。したがって、効率的な態様でそのようなサーチ空間を再構成することが可能なことが望ましい。
【００２４】
さらに、UEが、そのUEのために存在する何らかのPDCCHが存在する見込みがあるかどうかに関係なく全てのCCを受信することを要求される場合、（例えば受信機において）消費電力オーバーヘッドが存在する。これは特に別々の受信機を必要とする広く分離された周波数帯域におけるコンポーネント・キャリアの場合には重大である。
【００２５】
１つの考えられるソリューションは、アンカー・キャリア上のPDCCHメッセージが、他のコンポーネント・キャリア上でのPDCCHメッセージの正確な位置を通知することである。これは、追加のキャリアのために何も必要とされないので、必要とされるブラインド復号の数のいかなる増加をも回避する。しかしながら、それは、あらゆるキャリア上の全てのリソース割り当てもアンカー・キャリア上のPDCCHメッセージを必要とするという欠点を持つ。これにより、そのPDCCHが過負荷になる可能性がある。
【００２６】
これらの問題の幾つかに対処する、LTEに関連する他の可能性は、不連続受信（DRX）である。所与のUEに対するダウンリンク・パケットが欠落している場合には、UE受信機は、N個のサブフレームごとにのみPDCCHを受信するように設定されることができる。他の時は、それは「待機状態」となり、電力を節約する。何らかのPDCCHが受信されるとすぐに、UE受信機は、所与の数のサブフレームの間、活性化される。この状態において、UEは、大きなデータ速度を潜在的に受信することができる。
【００２７】
第１の例示的な実施の形態によれば、上記した状況において実施されるそのような実施の形態のシステムは、少なくとも他のキャリア上で、あるいはさらにアンカー・キャリア上で、UEが適切なサーチ空間を識別することを可能にする高速かつ効率的な通知を提供する。この実施の形態の特徴は、特定のサーチ空間が２つの（あるいは更に多くの）UE状態の各々に関連付けられることである。
【００２８】
この実施の形態の１つの考えられる変形例において、所与の数のサブフレームの間PDCCHが受信されなかったときに第１の状態"状態１"に入り、PDCCHが受信されたときに第２状態"状態２"に入る。状態1のためのサーチ空間は、コンポーネント・キャリアの１つのサブセットの考えられるPDCCH位置から成る。状態2のためのサーチ空間は、コンポーネント・キャリアの第２サブセットの考えられるPDCCH位置から成る。第１セット中のCCの数は、第２セット中のCCの数より小さい。したがって、状態1においてUEがPDCCHを受信するために必要とするパワーは状態2よりも小さい。有利な例として、第１サブセットは１つのキャリア（例えばアンカー・キャリア）からなることができ、そして第２サブセットは全ての利用可能な（又は設定された）CCからなることができる。
【００２９】
図2は、この実施の形態の例を表し、PDCCHの送信のために用いられることができる複数のコンポーネント・キャリア200a〜200eが示され、アンカー・コンポーネント・キャリアは、コンポーネント・キャリア200cである。図2に示されるように、コンポーネント・キャリアは、移動端末110の状態変化に対応していくつかのフェーズ210〜213に分割される。ここでは、３つの異なる状態が定められる。
【００３０】
フェーズ210では、移動端末110は状態1にあり、サーチ空間210a-cの第１セットは連続する時間インターバルにおいてこの移動端末に専用である。これらのサーチ空間は、限られた数のコンポーネント・キャリア上にあり、ここでは、アンカー・コンポーネント・キャリア200c上にのみある。その結果として、これらのサーチ空間をサーチするために、限られた量のエネルギーのみが必要とされる。なお、サーチ空間は、リソースの連続なブロックとして論理的な意味で示される。実際的な実施の形態では、周波数領域にわたってこれらのリソースを分布させるためにインタリーブが適用されることができる。
【００３１】
この移動端末110専用の制御メッセージ250は、サーチ空間210cにおいて送信されて、そして移動端末によって受信される。この受信によって、移動端末110は状態3のような他の状態に入る。
【００３２】
フェーズ211において、移動端末は、ちょうどメッセージ250を受信したので、状態に3に入る。状態3において、サーチ空間211a-eは、全てのコンポーネント・キャリア200a〜200eにわたって分配される。これにより、空間をサーチするために移動端末においてより多くのエネルギーを必要とする結果となる。予め定められた継続時間にわたるこれらのサーチ空間においていかなるメッセージも受信されない場合、この実施の形態の例では、移動局110は、フェーズ212において状態2に入る。移動局110が予め定められた継続時間にわたるこの状態においてメッセージを受信した場合、より長くこの状態3にとどまることに留意する必要がある。サーチ空間の数は、１つの状態から他の状態にわたって変化することができることに留意する必要がある。
【００３３】
フェーズ212において、移動端末は状態2にあり、サーチ空間212a-dは、キャリア・コンポーネント200b〜200dのサブセットにわたって分配される。この例の変形例において、アンカー・キャリアが状態1のサーチ空間のために予約されている可能性があるので、サーチ空間212cは含まれない場合がある。エネルギー消費の観点から、アンカー・コンポーネント・キャリアの近くにサーチ空間を持つことが有利であることに留意する必要がある。独立した受信機チェーンを必要とする場合がある広く分離されたキャリアとは対照的に、これは、１つの受信機チェーンによる処理を可能にする。予め定められた継続時間にわたるこれらのサーチ空間212a-dにおいていかなるメッセージも受信されない場合、この実施の形態の例では、フェーズ213において、移動局110は状態1に入る。移動局110が、予め定められた継続時間にわたるこの状態においてメッセージを受信した場合、状態3に戻ることに留意する必要がある。
【００３４】
フェーズ213において、移動端末110は状態1にあり、サーチ空間213a-cは、アンカー・コンポーネント・キャリア200c上のみにある。それは、メッセージが受信されるまで、この状態にとどまることができる。それは、特定の条件の下で、状態2又は3に戻ることもできる。
【００３５】
例えば2つの状態を持つ実施の形態の特定のバリエーションにおいて、UEは、PDCCHを受信すると、所与の数の以降のサブフレームの間、第２状態に入る。
【００３６】
第２状態に入ることは、次のサブフレーム境界において、又は、予め設定されるか、より高次のレイヤの信号によって示されるか、若しくはPDCCHメッセージ自体の中の時間オフセット指標として含まれることができる若干後の時点で、実施されることができる。実施の形態の更なるバリエーションでは、状態1のUEがPDCCHを受信すると、それは、現在のサブフレームの間第２状態に入り、CCの第２セット上のPDCCHを復号することを試みる。
【００３７】
対応するフェーズ又は状態の幾つかにおけるサーチ空間の構造は、UEの能力に依存したサーチ空間構造の予め定められたセットから選択されることができることに留意する必要がある。実際、各々の種類のセカンダリ局は、それらの受信に関して特有の能力、例えば、所与の時間インターバルにわたった、場合により同時の、複数の異なる受信信号のバッファリング及び復号（これは十分なメモリ及び計算パワーを必要とする）におけるそれらの能力を持つ場合がある。さらに、動作の間、UEバッテリー充電が低下する場合があり、電気エネルギーを節約するために、例えば多くの復号を必要とするいくつかの構造は回避される場合がある。このように、第１状態は、低いバッテリー充電に関する状態であり、第２状態は、高いバッテリー充電に関する状態である。この実施の形態の例では、UEの能力は、第２構造に対応する全てのリソース・セットを受信するために必要とされる第２エネルギーに対する、第１構造に対応する全てのリソース・セットを受信するために必要とされる第１エネルギーの比によって、特徴づけられる。低いバッテリー充電に関するパワー節約を達成するために、第１エネルギーは、第２エネルギーより小さい必要がある。リソース・セットを受信するために必要とされるエネルギーは、そのリソース・セットに対応する信号、信号のセットの中から、サーチ空間全体の中のリソース・セットのうちの１つに対応する各々をバッファ及び復号するために必要とされる電気エネルギーによって定められることができる。
【００３８】
UEが現在のサブフレームの間に第２状態に入るかどうかは、UEがPDCCHを復号することを試みるCCの数を低減することによってパワーを節約することができる程度によって決まることができる。例えば、CCが隣接する（すなわち、連続する周波数ブロックから成る）場合、UEは１つの受信機によって全てのCCを受信することができ、結果として、CCのうちの１つのみのPDCCHを復号することを試みても、効率は有意に増加しない。他方、CCが周波数において分離される場合、UEは複数の受信機を用いることを必要とする場合があり、いくつかのCCのためのいくつかの受信機をオフに切り替えることによって有意なパワーが節約されることができる。したがって、１つの実施の形態において、UEは、CCが隣接する場合、現在のサブフレームにおいて状態2に入り、CCが隣接しない場合には、以降のサブフレームにおいて状態2に入ることが期待される。言い換えると、この実施の形態にとって、以下の条件が特定されることができる。
・隣接するキャリアの場合：
−  状態1のUEに対して、PDCCHメッセージのうちの１つがアンカー・キャリアであるCC上で送信されるならば、eNodeBは、複数のCC上でPDCCHメッセージを送信することができる。
−  状態2のUEに対して、eNodeBは、いずれかのCC上でPDCCHメッセージを送信することができる。
・隣接しないキャリアの場合：
−  状態1のUEに対して、eNodeBは、アンカー・キャリア上でのみPDCCHメッセージを送信することができる
−  状態2のUEに対して、eNodeBは、いずれかのCC上でPDCCHメッセージを送信することができる。
【００３９】
１つの考えられる実施の形態は、サーチ空間の各々がサーチ部分空間の２つの（又はより多くの）事前に設定されたセットからなることを含み（この事前設定は、一般的に、より高次のレイヤの信号によって実行される）、各々のものを第１インデックスと関連付ける。各々のキャリアは、第２インデックスと関連付けられることができる。そして、１つのキャリア上のPDCCHメッセージは、サーチ空間の第１インデックス及び対応するキャリアの第２インデックスを示すことができる。
【００４０】
他の考えられる実施の形態は、特別なフォーマットのPDCCHメッセージにおいて、（対応するキャリア・インデックスと共に）サーチ空間の完全な詳細を通知することを有する。
【００４１】
本発明の別の実施例が以下で説明される。この更なる実施の形態は、先行する実施の形態と組み合わせられるか、又は、先の実施の形態とは独立に実施されることができる。
【００４２】
本発明のこの特別な実施の形態は、LTE Advancedのような通信システムにおいて、複数のコンポーネント・キャリアにわたってPDCCHの位置をホッピングする方法を提供する。ホッピングは、異なるUEが異なるホッピング・シーケンスを持ち、さらに所与のUEに対するホッピング・シーケンスがそれぞれのキャリアで異なるように設計される。
【００４３】
LTE仕様の第１リリース（Rel-8）において、最高20MHzの単一キャリアが用いられる。物理ダウンリンク制御チャネル（PDCCH）上の制御シグナリング・メッセージは、送信リソースの割り当てを通知する。全てのサブフレーム中の考えられる全ての場所を復号しなければならないこと（これは、非常に大きいブラインド復号オーバーヘッドをもたらす）を回避するために、各々のUEは、そのような通知メッセージをサーチするためのサーチ空間によって設定される。
【００４４】
LTEが複数のキャリアに拡張される場合、コンポーネント・キャリアの各々のリソース割り当てを示すためにシグナリングが必要である。必要とされるブラインド復号の数の重大な増加を回避することが望ましい。
【００４５】
3GPPにおいて考慮される現在の主要なオプションは、以下の通りである：
１．各々のコンポーネント・キャリア（CC）のための別々のPDCCHsを持つ。ここで、
・１つのPDCCHは同じCC上の割り当てを示すか、
又は
・１つのPDCCHは同じか若しくは異なるCC上の割り当てを示す。
あるいは、
２．１つのUEに割り当てられるコンポーネント・キャリアのための情報が一緒に符号化される１つのcommon PDCCH。ここで、
・DCIフォーマット・サイズは、割り当てられたCCの数に従って動的に変更されるか、
又は、
・DCIフォーマット・サイズは、UEがモニタリングしているCCの数に従って半静的に一定である。
【００４６】
したがって、いずれにしても、各々のキャリア上のPDCCHメッセージのためのサーチ空間（すなわち、PDCCHのために使用可能な１セットの場所であり、それらの場所の各々において、UEは、PDCCHを復号すること（すなわちブラインド復号）を試みる）が存在することが有利である。
【００４７】
しかしながら、さらなる詳細は、まだ定められない。一般に、CCのいずれかのPDCCH（場合により同時に複数のPDCCH）をUEが受信することが可能であることが望ましい。ブラインド復号の総数に起因する信号処理のあまりに重大な増加を回避するために、各々のキャリア上のサーチ空間は可能な限り小さく維持されるべきである。
【００４８】
現在、LTE Release 8において、所与のUEのためのPDCCHのためのサーチ空間は、ここに複写されるTS36.213における以下に従って、サブフレームごとに変化する。
【００４９】
「モニタリングするPDCCH候補のセットはサーチ空間に関して定められ、集合レベルL∈{1, 2, 4, 8}のサーチ空間S(L)kは、１セットのPDCCH候補によって定められる。サーチ空間S(L)kのPDCCH候補mに対応するCCEは、
0005643811.tif 000002
によって与えられる。ここで、Ykは以下で定義され、i = 0, ・・・,L-1 及び m = 0, ・・・, M(L)-1である。M(L)は、所与のサーチ空間においてモニタするPDCCH候補の数である。
集合レベルLのUE固有サーチ空間S(L)kに対して、変数Ykは、
Yk = (A・Yk-1) mod D
によって定められ、ここで、Y-1 = nRNTI ≠ 0, A =39827, D = 65537、及び
0005643811.tif 000003
であり、nsは、無線フレーム内のスロット数である。nRNTIのために使用されるRNTI値は、ダウンリンクについてはセクション7.1、アップリンクについてはセクション8において定められる。」
【００５０】
RNTI値はUEに対して固有であり、集合レベルは1, 2, 4又は8である。
【００５１】
この方法は、それぞれのUEのための異なるシーケンスを与え、２つのUEが１つのキャリア上で同一のサーチ空間を連続して持つ問題を回避するが、異なるコンポーネント・キャリア上の異なるサーチ空間を提供しない。したがって、１つのキャリア上で同じサーチ空間を有するあらゆるUEは、さらに他のキャリア上でも同じサーチ空間を持つ。これは、制御チャネルに対する競合及びリソースの非効率的なスケジューリングにつながる可能性がある。この更なる実施の形態によれば、同じUE及び異なるUEの両方のために、異なるサーチ空間は異なるキャリア上に提供される。これは、コンポーネント・キャリア数をサーチ空間式に導入することによって達成される。
【００５２】
この実施の形態の１つの変形例において、所与のコンポーネント・キャリアnccのためのサーチ空間は、
0005643811.tif 000004
を用いて定義され、ここで、
0005643811.tif 000005
であり、第１コンポーネント・キャリアはncc = 0を持つ。
【００５３】
これは、１つの無線フレーム以上にホッピング・シーケンスを拡張すること及び異なるコンポーネント・キャリア中にシーケンスの付加的な値を適用すること等しい。第１コンポーネント・キャリアのためのシーケンスは変化しない。
【００５４】
この実施の形態に対する拡張において、CC数は、それらの周波数に関してそのUEのために設定されるCCを順序付けることによって導き出される。また、CCは、特別な順序でUEに割り当てられる。
【００５５】
あるいは、より少ないシーケンス・エントリを生成するために、
0005643811.tif 000006
であるか、Rel8シーケンス値を再利用するために、
0005643811.tif 000007
である。これらのオプションは複雑度が低い。
【００５６】
一般的な形式は、
0005643811.tif 000008
であり、a及びbは定数である。
【００５７】
あるいは、A及び/又はDの値は、それぞれのCCに対して異なることができるが、これは、より高い実装複雑度につながる。
【００５８】
図3は、上述の実施の形態の例を示す。この実施の形態によれば、図3に表されるように、複数のサーチ空間301a-eが、コンポーネント・キャリア300a-eにわたって分配される。図３において、サーチ空間が、キャリア・コンポーネントごとに異なること、すなわち、リソース・ブロックが、キャリア・コンポーネントごとに異なることが分かる。さらに、これらのサーチ空間は、時間を通じて変化する。なお、サーチ空間は、リソースの連続なブロックとして、論理的な意味で示される。実際的な実施の形態において、周波数領域にわたってこれらのリソースを分布させるためにインタリーブが適用されることができる。
【００５９】
本発明は、UMTS LTE及びUMTS LTE-Advancedのような移動遠距離通信システムに適用可能であるが、いくつかの変形例においては、リソースの割り当てが動的に又は少なくとも半持続的に行われる任意の通信システムにも適用可能である。
【００６０】
本明細書及び請求の範囲において、単数で表現された要素は、そのような要素が複数存在することを除外しない。さらに、「有する」「含む」などの用語は、挙げられたもの以外の他の要素又はステップが存在することを除外しない。
【００６１】
請求の範囲の括弧中に参照符号が含まれることは、理解を助けることを目的としており、制限することを目的としない。
【００６２】
本開示を読むことから、当業者にとって他の修正例が明らかとなる。そのような修正例は、無線通信の分野において既に知られている他の特徴を含むことができる。
【図１】
0005643811.tif 000009
【図２】
0005643811.tif 000010
【図３】
0005643811.tif 000011